(57)【要約】【課題】先端部に特徴がある携帯電話用のロッドアンテナ及びそのようなアンテナを備えた携帯電話に関し、携帯電話に他の機能を付加することにより、利便性を向上させる。【解決手段】携帯電話のロッドアンテナの先端部を耳掻き棒とする。先端に耳掻き用のスプーンないし板状突起を備えたロッドアンテナと、その前記先端に覆着されるキャップとを備えた携帯電話の交換用ロッドアンテナを提供する。携帯電話を所持しているときは、いつでも自分専用の耳掻きで耳を掻くことができる。自宅等においても、耳掻き棒を探し回るということが少なくなる。【選択図】      図１
2004247859.tif 000002
【特許請求の範囲】
【請求項１】
先端部を耳掻き棒としたロッドアンテナを備えている、携帯電話。
【請求項２】
先端に耳掻き用のスプーンないし板状突起を備えたロッドアンテナと、その前記先端に覆着されるキャップとを備えた携帯電話の交換用ロッドアンテナ。
【発明の詳細な説明】
【０００１】
【発明が属する技術分野】
この発明は、先端部に特徴がある携帯電話用のロッドアンテナ及びそのようなアンテナを備えた携帯電話に関するものである。
【０００２】
【従来の技術】
携帯電話は、電波の微弱な地域での送受信を確保するために、必要時に引出すことができるロッドアンテナを備えている。このロッドアンテナは、電話機本体に引出し可能に取付けられており、その先端には合成樹脂製のキャップが固着されている。このロッドアンテナは、破損したときにロッドのみを交換することができるように、電話機本体から取外すことができるように取付けられており、先端に好みの色彩ないし形状のキャップを備えたものに交換することもできる。このキャップに発光ダイオードを内蔵して、受信時に発光するようにした交換用のロッドアンテナも提供されている。
【０００３】
【発明が解決しようとする課題】
携帯電話は、広く普及しており、常時携帯される日用品の一つとなっている。我々は日常生活の中で種々の器具を使用しており、その中には外出先で使用したくなることがあるが、外出先では直ぐに入手することができない器具も多い。このような器具は、常に携帯しているのが望ましいが、そうすると外出時に持物が多くなるため、必要になるかもしれないものを総て持ち歩くということは、不可能である。
【０００４】
この発明は、上記のような問題を解決するためになされたもので、外出時に携帯されることが多い携帯電話に他の機能を付加することにより、利便性を向上させることを課題としている。
【０００５】
【課題を解決するための手段】
本願請求項１の発明は、先端部を耳掻き棒としたロッドアンテナを備えている携帯電話を提供することにより、上記課題を解決している。
【０００６】
また、本願請求項２の発明は、先端に耳掻き用のスプーンないし板状突起を備えたロッドアンテナと、その前記先端に覆着されるキャップとを備えた携帯電話の交換用ロッドアンテナを提供することにより、上記課題を解決している。
【０００７】
外出時の持物を少なくする手段としては、器具そのものを小型化すること、１個の器具に複数の機能を持たせることである。この発明は、後者により携帯時における所持品を少なくしたいという課題を解決したものである。耳掻きは、耳穴の奥に挿し込まれるものであるから、他人のものや不特定多数の者が使用したものを使用することには抵抗がある。また、外出先でそれほど頻繁に使用するものでもないので、外出先で突然耳が痒くなった時など、代用できる適当なものがないため不便である。通常はマッチ棒や楊枝で代用することが多いが、安価なライターの普及によってマッチを携帯することが少なくなり、また楊枝を常時携帯している者もそれほど多くない。更にマッチ棒や楊枝は、ささくれがあったり、先端が折れたりして耳穴を傷つける危険がある。
【０００８】
これに対して、この発明では、普通に使用されている耳掻き棒と同程度の太さの携帯電話用ロッドアンテナの先端に耳掻き部を形成したので、携帯電話を所持しているときは、いつでも自分専用の耳掻きで耳を掻くことができる。また、専用の耳掻き棒に比べて携帯電話の電話としての使用頻度が高いので、自宅等においても、耳が痒くなったときに耳掻き棒を探し回るということが少なくなる。携帯電話は耳掻き棒に比べて重いので、先端を耳穴の奥で自由に動かすことが困難なように感じられるが、携帯電話のアンテナ用のロッドは、柔軟性に富んでいるので、撓ませて使用することにより、この問題を回避できる。
【０００９】
そして、耳掻きとして使用しない時に先端に覆着するキャップを設け、このキャップとして種々の色彩ないし形状のものを準備すれば、好みに合ったデザインのものを選択したり交換したりすることが可能である。
【００１０】
なお、耳掻き部の形状として、小さなスプーン状としたものや、小さな薄い円板状の突起を間隔を隔てて複数枚形成したものが一般的に用いられているので、本願の発明に係るロッドアンテナの先端の耳掻き部もそのような形状ないし構造としてやればよい。
【００１１】
【発明の実施の形態】
以下、図面に示す実施例を参照して、この発明の実施形態を説明する。図１において、１は携帯電話本体、２はそのロッドアンテナ、３はそのロッド、４はロッド３の先端に形成した耳掻き部、５は耳掻き部４を形成した先端に覆着されるキャップである。ロッド３は、電話機本体１に一体に形成した支持部６の挿通孔に取付けられており、この挿通孔にロッド３を押込み、あるいは引出すことにより、ロッドアンテナ２が伸縮する。
【００１２】
ロッド３の先端に形成する耳掻き部４は、例えば図２に示すように、小さなスプーン状の形状とするか、あるいは図３に示すように、小さな円板状突起を軸方向に間隔を隔てて複数枚固定した形状とすることができる。キャップ５は合成樹脂製で、耳掻きとして使用しない時にロッド３の耳掻き部４に覆着されるものである。このキャップ５は、装飾と耳掻き部４の保護と細いロッドの先端が衣服や肌を傷つけるのを防止する機能とを備えている。
【００１３】
上記のようなロッドアンテナは、従来一般に使用されているロッドアンテナのロッドを支持部６から引抜いて、先端部に耳掻き部４を形成したロッド３を挿入することにより実現できる。もちろん、携帯電話の出荷時に先端に耳掻き部を設けたロッドアンテナを取付けておくこともできる。ロッドアンテナを耳掻きとして使用するときは、ロッドアンテナ２を延ばし、キャップ５を取外し、電話機本体１を掌部分で保持して、指先で先端側ロッド３を撓ませて使用する。
【００１４】
【発明の効果】
上記のこの発明によれば、外出時に携帯される携帯電話を随時自分専用の耳掻きとして使用できるので、外出時に別途耳掻きを携帯する必要がなくなり、耳が痒くなった時に、いつでも衛生的でかつ安全な自分専用の耳掻きを使用することができるという効果がある。更に着脱可能なキャップを取付けることにより、ロッドアンテナの先端のデザインを選択したり交換できるという効果がある。
【図面の簡単な説明】
【図１】この発明の携帯電話の一実施例をロッドアンテナを延ばしキャップを外した状態で示す正面図
【図２】ロッドアンテナ先端の拡大斜視図
【図３】ロッドアンテナの先端の他の形状を示す拡大斜視図
【符号の説明】
２  ロッドアンテナ
４  耳掻き部
５  キャップ
【図１】
2004247859.tif 000003
【図２】
2004247859.tif 000004
【図３】
2004247859.tif 000005